(57)【要約】【課題】雪の積層高さによらずとも、すなわち、雪の積もりが厚くても薄くても使用可能であり、かつ、小型化を実現しつつも除雪される範囲を拡げることのできる除雪具を提供することにある。【解決手段】除雪具１は、周囲の雪を取り込む取込手段が収容された収容体２と、収容体２に対して固定された一対の車輪３と、収容体２に対して可動な滑走板４と、を有し、滑走板４は可動であって、車輪３が地面に接する接地位置よりも滑走板４が高い場合には車輪３による除雪を、滑走板４が低い場合には滑走板４による除雪を行うことができる。また、収容体２側面に、収容体に対してハの字状に開放された一対の羽９を取り付けることで、除雪される範囲を拡げることができる。【選択図】図３
2009108522.tif 000002
【特許請求の範囲】
【請求項１】
前方が開口され、周囲の雪を取り込む取込手段が収容された収容体と、
後方に設けられ、前記収容体に対して固定された一対の車輪と、
後方に設けられ、前記収容体に対して可動な滑走板と、
を有することを特徴とする除雪具。
【請求項２】
前記滑走板の可動範囲は、前記車輪が地面に接する接地位置より高い範囲から低い範囲までを少なくとも含むことを特徴とする請求項１記載の除雪具。
【請求項３】
前記収容体の両側面は、羽取付部が形成されており、
前記羽取付部には、前記収容体に対してハの字状に開放された一対の羽が取り付けられることを特徴とする請求項１又は２記載の除雪具。
【発明の詳細な説明】
【技術分野】
【０００１】
本発明は、地面に堆積している雪を除雪する除雪具に関し、機能性を向上させた除雪具に関する。
【背景技術】
【０００２】
地面に堆積している雪は、歩行の妨げとなることから、歩行しやすくするために除雪作業が行われる。家庭で使用される除雪具は、小型かつ簡易な構成のものが多く、例えば、図４に示す従来の除雪具が存在する。
【０００３】
図４（ａ）に示す除雪具は、除雪具を使用者が手前に押していくことにより、また、図４（ｂ）に示す除雪具は、除雪具を使用者が手前に押しやすいように車輪が取り付けられており、バケット内に雪を押し込むことができるものである（特許文献１又は２参照）。
【０００４】
【特許文献１】登録実用新案第３１２８５６５号公報（図１）
【特許文献２】登録実用新案第３０３９９９９号公報（図１）
【発明の開示】
【発明が解決しようとする課題】
【０００５】
図４（ａ）のタイプの除雪具は、バケットの底面を摺動させて使用する関係上、比較的雪の積もり方が薄い箇所にて使用可能である。逆に雪の積もり方が厚い箇所では、バケットが雪に埋もれてしまって雪を押し込むことができなかったり、雪の自重により使用者への負担が大きくなってしまうという問題がある。
【０００６】
また、図４（ｂ）のタイプの除雪具は、車輪の高さによって地面との間隔が大きくなってしまう関係上、比較的雪の積もり方が厚い箇所にて使用可能である。逆に雪の積もり方が薄い箇所では、車輪が障害となってバケットに雪を押し込むことができなかったり、地面との間隔を狭くするために除雪具を傾けて作業しなければならいという問題がある。
【０００７】
このように、従来の除雪具は、雪の積層高さによって使用が制限されることから、どちらか一方のタイプの除雪具では不便であり、また、一般家庭や小規模会社において２つのタイプの除雪具を備えるのは保管上不便であった。
【０００８】
また、従来の除雪具によれば、除雪される範囲は、除雪具の横幅（バケットの横幅）分を基準とするものであり、小型化すればするほど除雪される範囲が狭くなり、使い勝手の面でも不便であった。
【０００９】
本発明は、このような点に鑑みてなされたものであり、その目的は、雪の積層高さによらずとも、すなわち、雪の積もりが厚くても薄くても使用可能であり、かつ、小型化を実現しつつも除雪される範囲を拡げることのできる除雪具を提供することにある。
【課題を解決するための手段】
【００１０】
以上のような課題を解決するために、本発明の除雪具は、周囲の雪を取り込む取込手段が収容された収容体と、収容体に対して固定された一対の車輪と、収容体に対して可動な滑走板と、を有し、滑走板は可動であって、車輪が地面に接する接地位置よりも滑走板が高い場合には車輪による除雪を、滑走板が低い場合には滑走板による除雪を行うことができる。また、収容体側面に、収容体に対してハの字状に開放された一対の羽を取り付けることで、除雪される範囲を拡げることができる。
【００１１】
より具体的には、本発明は、以下のものを提供する。
【００１２】
（１）  前方が開口され、周囲の雪を取り込む取込手段が収容された収容体と、後方に設けられ、前記収容体に対して固定された一対の車輪と、後方に設けられ、前記収容体に対して可動な滑走板と、を有することを特徴とする除雪具。
【００１３】
本発明によれば、収容体に固定された一対の車輪を有し、この車輪の高さによって除雪具の使用が制約されることから、車輪の高さによる使用の制約を回避するための可動な滑走板を収容体に設け、滑走板の地面からの高さを調節することによって、地面を摺動させつつ除雪作業を行うことができる。
【００１４】
（２）  前記滑走板の可動範囲は、前記車輪が地面に接する接地位置より高い範囲から低い範囲までを少なくとも含むことを特徴とする除雪具。
【００１５】
本発明によれば、車輪が地面に接する接地位置よりも滑走板が高い位置にあれば、車輪によって除雪具を押すことで除雪作業を行うことができ、一方で、車輪が地面に接する接地位置よりも滑走板が低い位置にあれば、滑走板によって除雪具を押すことで除雪作業を行うことができるので、車輪の高さの制約を受けずに、雪の積もりが厚くても薄くても除雪作業を行うことができる。
【００１６】
また、可動範囲を適宜調節することで、雪の積もりが厚くても、数回に分けて上の層から除雪作業を行うなど、使用者の除雪作業の負担を軽減することができる。
【００１７】
（３）  前記収容体の両側面は、羽取付部が形成されており、前記羽取付部には、前記収容体に対してハの字状に開放された一対の羽が取り付けられることを特徴とする除雪具。
【００１８】
本発明によれば、収容体の両側面に形成された羽取付部に収容体に対してハの字状に開放された一対の羽を取り付けることで、収容体の両側面の幅以上のハの字状に開放された分だけ除雪される範囲を拡げることができる。また、羽の開放度合いが異なるものを取り付けることで、除雪される範囲を適宜調節可能であり、使用者に応じて除雪される範囲の負担が生じないようにすることもできる。
【発明の効果】
【００１９】
以上説明したように、本発明は、雪の積層高さによる除雪具の使用制約を受けることなく、また、小型化による除雪される範囲の縮小がない除雪具によって、機能性を向上させた使い勝手の良いものである。
【発明を実施するための最良の形態】
【００２０】
以下、本発明の実施の形態に係る除雪具について、図面を参照して説明する。
【００２１】
図１は、本発明の実施の形態に係る除雪具１の外観図であり、図１（ａ）は側面図、図１（ｂ）は平面図である。また、図２は、除雪具１に羽９を取り付けた状態を示す部分拡大図である。また、図３は、滑走板４の可動状態を示す図である。
【００２２】
除雪具１は、収容体２と、車輪３と、滑走板４（図示しない）と、把持棒８と、を有する。
【００２３】
収容体２は、側面に羽取付部５が形成され、羽９を取り付けることができる（図２参照）。また、収容体２の内部に除雪用ローラが収容され、また、上部には排出口６が形成されている。排出口６には排出管７を取り付けることができ、除雪具１は、地面に積もった雪を除雪用ローラで取り込み、排出管７から除雪される範囲外に排出する。なお、排出管７からの排出方向は適宜角度調整可能である。また、収容体２は前方が開口され、そこから雪を押し込んで収容体内に取り込む。
【００２４】
車輪３は、収容体２に取り付けられた舌片１０に支持されている。舌片１０は収容体２に対して可動不可であるから、車輪３も収容体２に対して可動不可となっており、車輪３は収容体２に対して固定されている。なお、一対の車輪３は、車軸１１によって左右の回転の同期をとっている（図３参照）。
【００２５】
滑走板４は、収容体２に対して可動となるように構成されており、くの字状に歪曲されている（図３参照）。具体的には、車輪３が地面に接する接地位置付近を境にして歪曲しており、滑走板４の使用時には、滑走板４によって地面から車輪３を浮かせるようにして使用する。なお、滑走板４の横幅は一対の車輪３の間隔よりも短くして、滑走板４を使用しないときには、車輪３の使用の妨げとはならないように、滑走板４を上げておく（図３参照）。
【００２６】
把持棒８は、収容体２の後方に取り付けられ、収容体２を押したり、除雪用ローラの回転を制御するレバー１３が設けられている。
【産業上の利用可能性】
【００２７】
本発明に係る除雪具は、雪の積層高さによる制約がなく、除雪される幅や除雪される高さを適宜調整することができるものとして有用である。
【図面の簡単な説明】
【００２８】
【図１】本発明の実施の形態に係る除雪具の外観図である。
【図２】除雪具に羽を取り付けた状態を示す部分拡大図である。
【図３】滑走板の可動状態を示す図である。
【図４】従来の除雪具を示す図である。
【符号の説明】
【００２９】
１  除雪具
２  収容体
３  車輪
４  滑走板
５  羽取付部
６  排出口
７  排出管
８  把持部
９  羽
１０  舌片
１１  車軸
【図４】
2009108522.tif 000003
【図１】
2009108522.tif 000004
【図２】
2009108522.tif 000005
【図３】
2009108522.tif 000006